(57)【要約】【課題】垂直軸風車において、回転力を生まない半分に対する逆風の力を消す点にある。【解決手段】回転する基盤上に、棒（連結棒）を、回転軸受をもって、基盤の中心を通る直線上に数本、互いに接触しないように中心付近において上方又は下方に適宜曲げて迂回させ、軸受を用いて自由に回転するように配置し、その連結棒に基盤の中心点に対して左右対称となる風受板を、互いに９０度となるように捩った状態で取り付ける。【選択図】図３
2009275641.tif 000002
【特許請求の範囲】
【請求項１】
気体又は液体等流体物の流れを受け、その流れと平行な面上において回転する円形の同一平面上（以下、「基盤」という。）において、棒（以下、「連結棒」という。）を、基盤の中心を通る直線上に数本、互いに接触しないように中心付近において上方又は下方に適宜曲げて迂回させ、軸受を用いて自由に回転するように配置し、その連結棒に基盤の中心点に対して左右対称となる流体受板を、互いに９０度となるように捩った状態で取り付けた垂直軸風（水）車（以下、「風車」という。）。
【請求項２】
請求項１の風車を、回転軸が水平になるように９０度傾けて配置した風車
【請求項３】
請求項１の風車を下向きに配置し、流体受板（以下、「風受板」という。）をぶら下げた状態で配置した風車
【発明の詳細な説明】
【技術分野】
【０００１】
本発明は、風（水）力を効率よく利用できる風車に関するものである。
【背景技術】
【０００２】
従来の風車のうち、プロペラ型は、プロペラにねじり加工を要するなど高度な技術を要し、プロペラの半径以上の高さの塔を必要とし、又、プロペラを常に風の向きに従って移動回転させなければならない問題があった。
【０００３】
又、従来の垂直軸風車は、回転力を生まない半分に対する逆風を消すことができないことが難点であった。
【０００４】
この改善策として、風の整流板を取り付ける方法がある。しかしながら、この方法では、風の向きに合わせて絶えず整流板を動かさなければならず、構造が複雑となる。
【非特許文献１】日刊工業新聞  平成１８年１０月３０日版
【発明の開示】
【発明が解決しようとする課題】
【０００５】
解決しようとする問題点は、垂直軸風車において、回転力を生まない半分に対する逆風の力を消す点にある。
【課題を解決するための手段】
【０００６】
本発明は、逆風に対する風受板を、風の力を利用して基盤上に倒し、風の抵抗をなくすことを特徴とする。
【０００７】
回転する基盤上に、連結棒を、軸受を用いて基盤の中心を通る直線上に数本取付ける。
【０００８】
これらの連結棒は、互いに接触しないように、中央部分において上方又は下方に適宜曲げて迂回させ、同一平面上に配置する。
【０００９】
その連結棒に基盤の中心点に対して左右対称となる風受板を、互いに９０度となるように捩った状態で取り付ける。
【発明の効果】
【００１０】
本発明は、風車の回転を止めようとする力を極力ゼロに近付けることによって、風力を効率よく利用するという利点がある。
【００１１】
風車において、動力として利用される風力は、プロペラ・風受板に当る風によるものであるので、風向に対するプロペラ・風受板の面積に比例する。
これを、プロペラ式風車に当てはめた場合、正面から見たプロペラの総面積である。
一方、垂直軸風車の場合、正面から見た風受板の総面積は、原則として風車全体の右又は左半分となる。
【００１２】
ところで、プロペラ式風車の場合、風向に正対するようにプロペラの向きを常に回転させなければならないため、プロペラ一枚分の長さを半径とする円形の設置場所を必要とする。
【００１３】
仮に、プロペラ式風車と同じ設置場所面積を占有する垂直軸風車を設置した場合、正面から見た風受板の総面積は、設置場所の半径×高さとなるが、高さは任意に設定できるため、広大となる。
【００１４】
したがって、本発明のように風車の回転を止めようとする力を極力ゼロに近付けることが可能となれば莫大な風力を利用することができることとなる。
【００１５】
本発明の風車は、同一平面上に配置するため、非常にコンパクトであり、部品等が単純かつ最小限ですむため、高度な技術を必要とせず、また頑丈に出来る。
【００１６】
請求項２の風車は、岸壁等に配置し、潮流発電等に使用すると効率的発電が可能である。
【００１７】
請求項３の風車は、海面等に配置して、水上に発電ユニットの配置が可能であり、潮流発電等に使用すると効率的発電が可能である。
【００１８】
請求項３の風車は、バランスウェイトが不要となるため、風受板の材質を選ばない。
【００１９】
請求項３の風車は、風受板にたとえゴミなどが絡んでも、１回転する間に外れる。
【発明を実施するための最良の形態】
【００２０】
回転する基盤上に、連結棒を、軸受を用いて、基盤の中心を通る直線上に数本取付ける。
【００２１】
これらの連結棒は、互いに接触しないように、中央部分において上方又は下方に適宜曲げて迂回させ、同一平面上に配置する。
【００２２】
その連結棒に基盤の中心点に対して左右対称となる風受板を、互いに９０度となるように捩った状態で取り付ける。
【００２３】
基盤については、腕木を用いる方法、正多角形の板等が考えられるが、円盤状が、風の抵抗も少なく好ましい。
【００２４】
基盤の中心付近上方の風受板間の空間は、円筒を用いてカバーしたほうが風力のロスが少なくなり、より好ましい。
【００２５】
本発明の風車は、風受板が倒れた状態の時、隣接する風受板に接触しないようにしなければならず、風受板一枚毎の高さは制限を受けるが、風車自体を上下に複数重ねることによって、この欠点は克服可能である。
【実施例１】
【００２６】
図２は、請求項１にかかるこの発明装置の風受板を取り付けた連結棒を、判り易くするため１本だけ抜き出し、連結棒に平行な方向から見た図であり、左方向より風を受けるものとする。
【００２７】
１ａ−２の風受板は、風の抵抗を受け、右に向かって倒れ水平となる。
【００２８】
水平となった１ａ−２の風受板は、風を素通りさせる。
【００２９】
１ａ−２の風受板と２の連結棒を通じて連結された１ａ−１の風受板は、１ａ−２の風受板が倒れることにより、又、途中より自ら風を受けることにより、起き上がって垂直となる。
【００３０】
１ａ−１の風受板は、風の抵抗を受け止める。
【００３１】
１ａ−１の受け止めた風の抵抗は、２の連結棒、３の回転軸受を通じて４の基盤に伝わり、基盤を回転させる。
【実施例２】
【００３２】
図３は、請求項１にかかる本発明の垂直軸風車全体の見取り図であり、左下方より風を受けるものとする。
【００３３】
１b−２及び１c−２は、１ａ−２と同様に風の抵抗を受けて倒れ、水平となり、風を素通りさせる。
【００３４】
１b−１及び１c−１は、１ａ−１と同様に垂直となって風の抵抗を受け止め、２の連結棒、３の回転軸受を通じて４の基盤に伝わり、基盤を回転させる。
【００３５】
以上により効率的に風力エネルギーが回転運動エネルギーに変換される。
【００３６】
この装置の回転エネルギーは、基盤に連結された５の軸を通して、動力として発電等に利用可能となる。
【産業上の利用可能性】
【００３７】
この発明は、風力発電、潮流発電、水力発電をはじめとするさまざまな流体の動力利用に適用できる。
【図面の簡単な説明】
【００３８】
【図１】図１は、請求項１にかかるこの発明装置の風受板を取り付けた連結棒を、１本だけ抜き出し、横から見た図である。
【図２】図２は、請求項１にかかるこの発明装置の風受板を取り付けた連結棒を、１本だけ抜き出し、連結棒に平行な方向から見た図である。（実施例１）
【図３】図３は、請求項１にかかる本発明の垂直軸風車全体の見取り図である。（実施例２）
【符号の説明】
【００３９】
１ａ−１，１ａ−２，１b−１，１b−２，１c−１，１c−２  風受板
２  連結棒
３  回転軸受
４  基盤
５  軸
【図１】
2009275641.tif 000003
【図２】
2009275641.tif 000004
【図３】
2009275641.tif 000005